(57)【要約】【課題】  システムＩＤ付与時の近接店舗との無線干渉による誤動作、および無線混信を防止したオーダリングシステムを提供する。【解決手段】  システム内の装置へのシステムＩＤ付与時のみ、無線出力を最小とし、システムＩＤから、システム間の無線通信に用いる無線ＩＤおよび無線暗号キーを生成する。【選択図】    図１
2006237872.tif 000002
【特許請求の範囲】
【請求項１】
客から受けた注文を入力し、注文データを生成する入力装置と、前記注文データを受信し記憶する制御装置と、前記入力装置もしくは前記制御装置から受信した情報に基づいて印字出力もしくは表示出力をする出力装置とを含むオーダリングシステムであって、
前記入力装置が、前記制御装置および前記出力装置と無線通信を行う入力装置通信手段と、予め設定登録された、オーダリングシステム毎に固有のシステムＩＤを記憶する入力装置記憶手段と、前記入力装置記憶手段に記憶された前記システムＩＤを、前記入力装置通信手段を介して前記出力装置に送信し、設定登録させるシステムＩＤ送信登録手段を有し、
前記出力装置が、前記制御装置および前記入力装置と無線通信を行う出力装置通信手段と、前記入力装置のシステムＩＤ送信手段により送信された前記システムＩＤを、前記出力装置通信手段を介して受信して設定登録するシステムＩＤ受信登録手段と、前記設定登録したシステムＩＤを記憶する出力装置記憶手段と
を有することを特徴とするオーダリングシステム。
【請求項２】
前記入力装置のシステムＩＤ送信登録手段、および前記出力装置のシステムＩＤ受信登録手段は、前記入力装置の入力装置通信手段、および前記出力装置の出力装置通信手段の無線送信出力を最小に設定する、請求項１に記載のオーダリングシステム。
【請求項３】
前記入力装置、前記出力装置および前記制御装置は、通常の無線通信用ＩＤの他に、初期通信用として共通の無線通信用ＩＤを有し、
前記入力装置のシステムＩＤ送信登録手段、および前記出力装置のシステムＩＤ受信登録手段は、前記入力装置通信手段に用いる無線通信用ＩＤ、および前記出力装置通信手段に用いる無線通信用ＩＤを、前記共通の無線通信用ＩＤに設定する、請求項１に記載のオーダリングシステム。
【請求項４】
前記入力装置のシステムＩＤ送信登録手段は、前記システムＩＤを前記出力装置に送信し、設定登録させた後、前記入力装置の入力装置通信手段に用いる無線通信用ＩＤを、通常の無線通信用ＩＤに変更する、請求項３に記載のオーダリングシステム。
【請求項５】
前記入力装置はさらに、前記入力装置の前記入力装置記憶手段に記憶されている前記システムＩＤに基づいて、通常の無線通信用ＩＤを生成する入力装置無線通信用ＩＤ生成手段を有する、請求項１に記載のオーダリングシステム。
【請求項６】
前記出力装置はさらに、前記出力装置のシステムＩＤ受信登録手段により設定登録され、前記出力装置の出力装置記憶手段に記憶された前記システムＩＤに基づいて、通常の無線通信用ＩＤを生成する出力装置無線通信用ＩＤ生成手段を有する、請求項１に記載のオーダリングシステム。
【請求項７】
客から受けた注文を入力し、注文データを生成する入力装置と、前記注文データを受信し記憶する制御装置と、前記入力装置もしくは前記制御装置から受信した情報に基づいて印字出力もしくは表示出力をする出力装置とを含むオーダリングシステムで用いられる入力装置であって、
前記制御装置および前記出力装置と無線通信を行う入力装置通信手段と、予め設定登録された、オーダリングシステム毎に固有のシステムＩＤを記憶する入力装置記憶手段と、前記入力装置記憶手段に記憶された前記システムＩＤを、前記入力装置通信手段を介して当該オーダリングシステムに含まれる装置のいずれかに送信し、設定登録させるシステムＩＤ送信登録手段を有することを特徴とする入力装置。
【請求項８】
前記システムＩＤ送信登録手段は、前記入力装置記憶手段に記憶された前記システムＩＤを、前記入力装置通信手段を介して前記出力装置に送信し、設定登録させる、請求項７に記載の入力装置。
【請求項９】
前記システムＩＤ送信登録手段は、前記入力装置通信手段の無線送信出力を最小に設定する、請求項７もしくは８に記載の入力装置。
【請求項１０】
前記システムＩＤ送信登録手段は、前記入力装置通信手段に用いる無線通信用ＩＤを、前記入力装置、前記出力装置および前記制御装置が初期通信用に有する共通の無線通信用ＩＤに設定する、請求項７もしくは８に記載の入力装置。
【請求項１１】
前記システムＩＤ送信登録手段は、前記システムＩＤを、当該オーダリングシステムに含まれる装置のいずれかに送信し、設定登録させた後、前記入力装置通信手段に用いる無線通信用ＩＤを、通常の無線通信用ＩＤに変更する、請求項１０に記載の入力装置。
【請求項１２】
前記入力装置記憶手段に記憶されている前記システムＩＤに基づいて、通常の無線通信用ＩＤを生成する入力装置無線通信用ＩＤ生成手段をさらに有する、請求項７に記載の入力装置。
【請求項１３】
客から受けた注文を入力し、注文データを生成する入力装置と、前記注文データを受信し記憶する制御装置と、前記入力装置もしくは前記制御装置から受信した情報に基づいて印字出力もしくは表示出力をする出力装置とを含むオーダリングシステムで用いられる出力装置であって、
前記制御装置および前記入力装置と無線通信を行う出力装置通信手段と、前記入力装置設定登録させる
前記出力装置通信手段を介して、当該オーダリングシステムに含まれる装置のいずれかから設定登録の要求を受けて受信した前記システムＩＤを、設定登録するシステムＩＤ受信登録手段と、前記設定登録したシステムＩＤを記憶する出力装置記憶手段と
を有することを特徴とする出力装置。
【請求項１４】
前記システムＩＤ受信登録手段は、前記入力装置から設定登録の要求を受けて受信した前記システムＩＤを設定登録する、請求項１３に記載の出力装置。
【請求項１５】
前記システムＩＤ受信登録手段は、前記出力装置通信手段の無線送信出力を最小に設定する、請求項１３もしくは１４に記載の出力装置。
【請求項１６】
前記システムＩＤ受信登録手段は、前記出力装置通信手段に用いる無線通信用ＩＤを、前記入力装置、前記出力装置および前記制御装置が初期通信用に有する共通の無線通信用ＩＤに設定する、請求項１３もしくは１４に記載の出力装置。
【請求項１７】
前記システムＩＤ受信登録手段により設定登録され、前記出力装置記憶手段に記憶された前記システムＩＤに基づいて、通常の無線通信用ＩＤを生成する出力装置無線通信用ＩＤ生成手段をさらに有する、請求項１３に記載の出力装置。
【請求項１８】
客から受けた注文を入力し、注文データを生成する入力装置と、前記注文データを受信し記憶する制御装置と、前記入力装置もしくは前記制御装置から受信した情報に基づいて印字出力もしくは表示出力をする出力装置とを含むオーダリングシステムに用いられるシステムＩＤ設定方法であって、
前記オーダリングシステムに含まれ、予め設定登録されたオーダリングシステム毎に固有のシステムＩＤを記憶している装置を第１の装置とし、前記オーダリングシステムに含まれ、前記システムＩＤの登録設定がなされていない装置を第２の装置とし、
前記システムＩＤ設定方法が、
前記第１の装置が、前記第１の装置内に記憶している前記システムＩＤを、前記第２の装置に送信するステップと、
前記第２の装置が、前記第１の装置から受信した前記システムＩＤを設定登録するステップとを有することを特徴とするシステムＩＤ設定方法。
【請求項１９】
前記第１の装置が、前記第１の装置内に記憶している前記システムＩＤを、前記第２の装置に送信するステップに先立って、
前記第１の装置が、前記第１の装置が有する通信手段の無線送信出力を最小にし、前記通信手段に用いる無線通信用ＩＤを、前記入力装置、前記出力装置および前記制御装置が初期通信用に有する共通の無線通信用ＩＤに設定するステップと、
前記第１の装置が、前記第２の装置に通信確立を要求するステップと、
前記第２の装置が、前記第２の装置が有する通信手段の無線送信出力を最小にし、前記通信手段に用いる無線通信用ＩＤを、前記入力装置、前記出力装置および前記制御装置が初期通信用に有する共通の無線通信用ＩＤに設定するステップと、
前記第２の装置が、前記第１の装置に通信確立を許諾する応答をするステップとを有する、請求項１８に記載のシステムＩＤ設定方法。
【請求項２０】
前記第１の装置が、前記第１の装置内に記憶している前記システムＩＤを、前記第２の装置に送信するステップに先立って、
前記第１の装置が、前記第１の装置が有する通信手段の無線送信出力を最小に設定するステップと、
前記第１の装置が、前記第２の装置に通信確立を要求するステップと、
前記第２の装置が、前記第２の装置が有する通信手段の無線送信出力を最小に設定するステップと、
前記第２の装置が、前記第１の装置に通信確立を許諾する応答をするステップとを有する、請求項１８に記載のシステムＩＤ設定方法。
【請求項２１】
前記第１の装置が、前記第１の装置内に記憶している前記システムＩＤを、前記第２の装置に送信するステップに先立って、
前記第１の装置が、前記第１の装置が有する通信手段に用いる無線通信用ＩＤを、前記入力装置、前記出力装置および前記制御装置が初期通信用に有する共通の無線通信用ＩＤに設定するステップと、
前記第１の装置が、前記第２の装置に通信確立を要求するステップと、
前記第２の装置が、前記第２の装置が有する通信手段に用いる無線通信用ＩＤを、前記入力装置、前記出力装置および前記制御装置が初期通信用に有する共通の無線通信用ＩＤに設定するステップと、
前記第２の装置が、前記第１の装置に通信確立を許諾する応答をするステップとを有する、請求項１８に記載のシステムＩＤ設定方法。
【請求項２２】
前記第１の装置が前記入力装置であり、前記第２の装置が前記出力装置である、請求項１８から２１のいずれかに記載のシステムＩＤ設定方法。
【発明の詳細な説明】
【技術分野】
【０００１】
本発明は、外食店舗などにおけるオーダリングシステムに関する。
【背景技術】
【０００２】
通常、オーダリングシステムでは、客の注文を入力するための入力装置と、オーダリングシステムを管理し、客の注文した料理を調理、提供するための指示データを作成するデータ制御装置と、データ制御装置から受信した出力する出力装置で構成されている。
【０００３】
このオーダリングシステムにおいて出力装置は、店舗等に設置する際もしくは交換の際、店舗固有に設定が必要なシステムＩＤなどの情報を、その内部に設定する必要する必要がある。設定の方法には、入力装置からデータ制御装置に対しシステムＩＤ設定要求を通知し、それに対応して該当出力装置からデータ制御装置に対してシステムＩＤ設定要求があれば、データ制御装置がその出力装置に対してシステムＩＤを送信して付与する、という方法がある。（例えば特許文献１参照）
【特許文献１】特開２００４−１２８７７７公報
【発明の開示】
【発明が解決しようとする課題】
【０００４】
特許文献１に記載の従来のオーダリングシステムにおいては、以下のような課題があった。すなわち、入力装置からの出力装置に対するシステムＩＤ設定要求があった場合に、それに対応して出力装置が設定応答があった場合のみ無線制御装置を介して無線によるシステムＩＤの付与をおこなっていたが、その時偶発的に近接した店舗の出力装置から設定応答があった場合は、ＩＤ設定ができてしまう。この場合、店舗別にシステムＩＤは異なるため、当該出力装置のみシステムに接続できない状態が発生してしまう問題があった。
【０００５】
更に、出力装置が使用する無線の無線ＩＤは、システムＩＤとは別に管理しているが、通常、すべて共通化している。そのため近接した店舗間で、相互に無線環境がよい設置環境にあった場合には、出力装置の起動時に、別の店舗の無線ＩＤにグルーピングされる可能性がある。その場合は、上記同様に当該出力装置がシステムに接続できない状態が発生してしまう問題があった。
【０００６】
本発明は、上記のような問題を鑑みてなされたものであり、オーダリングシステムが使用されている近接する店舗間において、システムＩＤや無線ＩＤの誤設定に起因した無線混信や通信接続失敗を防止したオーダリングシステムを提供する。
【課題を解決するための手段】
【０００７】
上記課題を解決するため本発明は、客から受けた注文を入力し、注文データを生成する入力装置と、注文データを受信し記憶する制御装置と、入力装置もしくは制御装置から受信した情報に基づいて印字出力もしくは表示出力をする出力装置とを含むオーダリングシステムであって、入力装置が、制御装置および出力装置と無線通信を行う入力装置通信手段と、予め設定登録された、オーダリングシステム毎に固有のシステムＩＤを記憶する入力装置記憶手段と、入力装置記憶手段に記憶されたシステムＩＤを、入力装置通信手段を介して出力装置に送信し、設定登録させるシステムＩＤ送信登録手段を有し、出力装置が、制御装置および入力装置と無線通信を行う出力装置通信手段と、入力装置のシステムＩＤ送信手段により送信されたシステムＩＤを、出力装置通信手段を介して受信して設定登録するシステムＩＤ受信登録手段と、設定登録したシステムＩＤを記憶する出力装置記憶手段とを有することを特徴とするオーダリングシステムとする。また、このオーダリングシステムに用いられる入力装置、出力装置、ならびにシステムＩＤ設定方法を提供する。
【０００８】
これにより入力装置は、出力装置のシステムＩＤ設定装置として使用することが出来る。
【０００９】
また本発明の入力装置のシステムＩＤ送信登録手段、および出力装置のシステムＩＤ受信登録手段は、入力装置の入力装置通信手段、および出力装置の出力装置通信手段の無線送信出力を最小に設定するものとする。
【００１０】
これにより、入力装置および出力装置間の通信電波が、本発明のオーダリングシステムの近傍の、同種のオーダリングシステムまで及ぶことはなく、正常にシステムＩＤを設定することができる。
【００１１】
さらに、入力装置、出力装置および制御装置は、通常の無線通信用ＩＤの他に、初期通信用として共通の無線通信用ＩＤを有し、入力装置のシステムＩＤ送信登録手段、および出力装置のシステムＩＤ受信登録手段は、入力装置通信手段に用いる無線通信用ＩＤ、および出力装置通信手段に用いる無線通信用ＩＤを、共通の無線通信用ＩＤに設定するものとする。
【００１２】
同オーダリングシステム内の別の装置は、システムＩＤ設定時以外は通常の無線通信用ＩＤを使用している。よって、同オーダリングシステム内の別の装置がシステムＩＤ設定の通信を受信しても、本発明によるＩＤの相違からその通信は破棄され、正常にシステムＩＤを設定することができる。
【００１３】
また、本発明の入力装置のシステムＩＤ送信登録手段は、システムＩＤを出力装置に送信し、設定登録させた後、入力装置の入力装置通信手段に用いる無線通信用ＩＤを、通常の無線通信用ＩＤに変更するものとする。
【００１４】
これにより入力装置は、システムＩＤ設定後、速やかに通常のオーダリングシステム業務を遂行することが出来る。
【００１５】
また、本発明の入力装置、および出力装置は、システムＩＤに基づいて通常の無線通信用ＩＤを生成するものとする。
【００１６】
これにより、本発明のオーダリングシステムの近傍に、同種のオーダリングシステムが存在しても、通信用ＩＤは必ず互いに異なることとなるため、混信することは無い。
【００１７】
尚、本発明は、入力装置から出力装置へのシステムＩＤ設定以外にも、本発明のシステムＩＤ設定の技術を用いることで、本発明のオーダリングシステムを構成する他の装置においても応用可能である。
【発明の効果】
【００１８】
本発明は、出力装置のシステムＩＤを設定する際に、入力装置の無線送信出力を最小とし、無線ＩＤを初期値にすることにより、近隣システムで同時にシステムＩＤを設定するような場合でも、無線の混信による誤設定を防止できる。
【００１９】
さらに、システムＩＤ設定後も、システムＩＤから無線ＩＤを生成するため、近接のことなるシステムとの無線混信や輻輳を防止できる。
【発明を実施するための最良の形態】
【００２０】
本発明のオーダリングシステムでは、以下のような実施形態をとることによりさまざまな効果を得る事ができる。出力端末と入力端末間にて直接システムＩＤを付与する際に、双方ともに、無線出力を最小とし、システムＩＤを付与した後に、出力端末を再起動させ、起動時にシステムＩＤと関連付けされた無線ＩＤを割り当てることにより、無線ＩＤをシステム毎に別とすることにより、近接店舗の設置環境に影響せずに、無線混信を防止することができる。
【実施例】
【００２１】
図１ならびに図２を例に具体的な実施例を説明する。図１は本発明の代表的な機器情報設定フローチャートであり、図２は本発明の代表的なオーダリングシステムが、２つ近接して配置されている例を示す構成図である。
【００２２】
本実施例では、図２のように入力装置１と出力装置２ならびに制御装置５からなるオーダリングシステムＡ（以後、システムＡ）があり、近接した設置環境に入力装置３と出力装置４ならびに制御装置６からなる同システムＢがある場合を想定する。
【００２３】
また図示しないが、システムＡにおける入力装置１は、客の注文に係る情報を入力するための入力手段と、システム全体を制御する制御装置５や出力装置２等と無線によるデータ通信をするための入力装置通信手段と、入力された注文に係る情報に、テーブル番号等を付与して注文データを作成する注文データ作成手段と、作成した注文データを通信手段を介して制御装置５へ送信する注文データ送信手段と、システムＩＤを通信手段を介して出力装置２に送信して設定させるためのシステムＩＤ送信登録手段と、システムＩＤや注文データ等を記憶する入力装置記憶手段と、入力装置通信手段での通信時に使用する無線ＩＤを設定する入力装置無線通信用ＩＤ生成手段と、これらを制御する制御部等を有する。注文データ作成手段、注文データ送信手段、システムＩＤ送信登録手段、入力装置無線通信用ＩＤ生成手段は、制御部のプログラム記憶領域に記憶されたプログラムを実行することにより実現される機能である。入力装置無線通信用ＩＤ生成手段については後述する。
【００２４】
また制御装置５は、入力装置１や出力装置２とデータ通信をする通信手段と、入力装置１から受信した注文データ等を記憶する記憶手段と、記憶した注文データに基づいて、調理や提供に係る指示データを作成する指示データ作成手段と、作成した指示データを通信手段を介して出力装置２に送信する指示データ送信手段等を有する。また、システムＡで用いられるシステムＩＤを保管し、管理する機能を有する。
【００２５】
また出力装置２は、入力装置１や制御装置５と通信をする出力装置通信手段と、制御装置５から受信した情報を出力する出力手段と、システムＩＤを受信して自身に設定するシステムＩＤ受信登録手段と、システムＩＤ等を記憶する出力装置記憶手段と、出力装置通信手段での通信時に使用する無線ＩＤを設定する出力装置無線通信用ＩＤ生成手段と、これらを制御する制御部等を有する。システムＩＤ受信登録手段、出力装置無線通信用ＩＤ生成手段は、制御部のプログラム記憶領域に記憶されたプログラムを実行することにより実現される機能である。出力装置無線通信用ＩＤ生成手段については後述する。
【００２６】
またシステムＢにおける入力装置３、制御装置６、および出力装置４はそれぞれ、システムＡにおける入力装置１、制御装置５、および出力装置２と同様の要素を有するものとする。
【００２７】
上記、入力装置、制御装置、出力装置のような、オーダリングシステムの構成装置間では、通常、無線通信がなされており、それには無線ＩＤが必要である。この無線ＩＤは、無線ＬＡＮにおけるＥＳＳＩＤであり、最大３２文字の英数字文字列を指定することができる。具体的には本実施例で使用する無線ＩＤは、無線ＩＤの固定文字列に加えて、システムＩＤに相当する６桁分を設定した文字列となっている。この無線ＩＤは各装置で自動的に生成される。入力装置および出力装置に関しては、入力装置無線通信用ＩＤ生成手段、および出力装置無線通信用ＩＤ生成手段がそれに該当する。
【００２８】
例えば、出力装置２のシステムＩＤが未設定の状態の場合の無線ＩＤは、システムＩＤを“１２３１２３”とし、無線ＩＤとしては“ＸＸＸＸＸＸ１２３１２３”としておく（初期値の状態）。この無線ＩＤは入力装置１ならびに出力装置２が保有しており、この無線ＩＤを用いた無線通信で出力装置２のシステムＩＤ設定作業を行う。設定すべきシステムＩＤを“９８７６５４”とした場合、前記６桁分がシステムＩＤの値となるので、無線ＩＤは、“ＸＸＸＸＸＸ９８７６５４”に変更され設定される。入力装置１は、システムＩＤ設定モード時には無線ＩＤを初期値の状態としているため、出力装置２にシステムＩＤを設定後には元の無線ＩＤに戻すようになっている。
【００２９】
このようなシステム構成状態において、出力装置２が設置時や機器故障などにより交換する時に、システムＩＤを設定する手順について、図１をもとに説明する。
【００３０】
図１は、システムＡおよびシステムＢが同時期に、それぞれのシステム内の出力装置２および４に対して、システムＩＤを設定する手順を示している。これらは入力装置のシステムＩＤ送信登録手段、および出力装置のシステムＩＤ受信登録手段の機能により実現される。
【００３１】
まず、システムＢにおいてシステムＩＤの設定行為が始まり、入力装置３がシステムＩＤ設定要求を出力装置４に対して送信する（Ｓ１）。この際、入力装置３は、無線出力を自動的に最小とし、無線ＩＤは初期値の状態で送信する。そのため、近接設置されたシステムＡにおける出力装置２では、無線出力が小さいために本要求を認識できず、出力端末４のみが正常に受信できる。
【００３２】
出力装置４は、正常に受信できた場合、やはり無線送信出力を最小にして同無線ＩＤを使用して、入力端末３に対して受信成功を示す応答を返す（Ｓ２）。ところでシステムＢに属する他の装置はシステムＩＤが設定済みであるものとする。また本発明で使用される装置は、無線通信において使用する無線ＩＤや暗号キーを、上記で説明したような要領で、システムＩＤをもとに自動生成する機能を有する。このため、出力装置４から送信された応答は、システムＢ内の他の装置で受信されても、無線ＩＤが異なるのでパケットは破棄される。
【００３３】
入力装置３は、この応答の受信に成功すれば、システムＢのシステムＩＤを出力装置４に対して送信する（Ｓ３）。
【００３４】
このシステムＩＤを出力装置４が正常に受信できれば、このシステムＩＤを自身に登録し、入力装置３に対して、受信成功並びに登録完了を示す応答を返す（Ｓ４）。入力装置３は登録完了の応答を受けて、自身の無線ＩＤを、初期値のＩＤから通常のＩＤに戻す。
【００３５】
システムＡにおけるシステムＩＤの設定行為に関して、Ｓ１’、Ｓ２’、Ｓ３’およびＳ４’は、それぞれシステムＢにおけるＳ１、Ｓ２、Ｓ３、Ｓ４と同一の動作とする。
【００３６】
このように本発明では、システムＩＤ設定時のみ無線送信出力が最小となるため、両システム間での混信防止ができる。
【００３７】
また、本発明の出力装置は、システムＩＤの設定完了後に、設定したシステムＩＤをもとに無線ＩＤを自動生成し、無線機能の初期化を実施する。この処理の実施後初めて、同一システムの制御装置と入力装置と出力装置において、システムＩＤによるオーダ転送が可能となる。システムＩＤの管理は制御装置が行う。出力装置にシステムＩＤ付与した後は、個々のシステムにおいて無線ＩＤが異なることとなるため、図１の下部にあるＳ１０のように、仮に別のシステムの出力装置により受信されても、異なる無線ＩＤのパケットは破棄される。このため、異なるシステム同士の無線の干渉や混信が防止できるため、輻輳などの懸念もなくなる。
【００３８】
また本実施例では、入力装置から出力装置へのシステムＩＤの付与に関する例を示したが、これに限るものではない。例えば、ある入力装置から他の入力装置へ、ある出力装置から他の出力装置へ、ある出力装置から入力装置へ、制御装置から出力装置へ、制御装置から入力装置へ等、様々な装置間におけるシステムＩＤ付与機能に本発明の技術を使用することが出来る。
【図面の簡単な説明】
【００３９】
【図１】本発明の代表的な機器情報設定フローチャートである。
【図２】本発明の代表的なオーダリングシステムの構成図である。
【符号の説明】
【００４０】
１  入力装置Ａ
２  出力装置Ａ
３  入力装置Ｂ
４  出力装置Ｂ
５  制御装置Ａ
５  制御装置Ｂ
【図１】
2006237872.tif 000003
【図２】
2006237872.tif 000004